(57)【要約】【課題】ユーザが記憶容量の不足に際して外部出力すべきコンテンツを容易に特定できるようにする。【解決手段】コンテンツ管理装置はネットワークに接続される通信処理部２４と、ネットワーク経由で配信される様々なデジタルコンテンツおよびこれらコンテンツの視聴および外部出力ライセンスを保持するＨＤＤユニット３０と、ＨＤＤユニット３０に保持される様々なデジタルコンテンツのコンテンツリストを表示する表示処理部２９と、ＨＤＤユニット３０に保持される様々なデジタルコンテンツについて視聴および外部出力ライセンスの期限的な有効性を確認し、外部出力ライセンスが有効でかつ視聴ライセンスが無効なコンテンツをＨＤＤユニットの記憶容量不足に際して外部記録媒体へ出力すべき対象としてコンテンツリストにおいて明示させるＤＲＭ処理部３２とを備える。【選択図】図２
2009159172.tif 000002
【特許請求の範囲】
【請求項１】
ネットワークに接続される通信部と、前記ネットワーク経由で配信される様々なデジタルコンテンツおよびこれらコンテンツの視聴および外部出力ライセンスを保持する記憶部と、前記記憶部に保持される前記様々なデジタルコンテンツのコンテンツリストを表示する表示部と、前記記憶部に保持される前記様々なデジタルコンテンツについて前記視聴および外部出力ライセンスの期限的な有効性を確認し、前記外部出力ライセンスが有効でかつ前記視聴ライセンスが無効なコンテンツを前記記憶部の記憶容量不足に際して外部記録媒体へ出力すべき対象として前記コンテンツリストにおいて明示させる処理部とを備えることを特徴とするコンテンツ管理装置。
【請求項２】
前記処理部は前記コンテンツリスト内のコンテンツ表示位置を前記有効性の確認結果に対応した状態別の優先順位で整理することを特徴とする請求項１に記載のコンテンツ管理装置。
【請求項３】
前記処理部は前記有効性の確認を前記記憶部の記憶容量の残りが所定値を越えて減少した場合に行うことを特徴とする請求項１に記載のコンテンツ管理装置。
【請求項４】
前記処理部は前記外部記憶媒体へ出力すべき対等となるコンテンツについて外部出力を促すメッセージを表示させることを特徴とする請求項１に記載のコンテンツ管理装置。
【請求項５】
デジタル放送受信装置に組み込まれることを特徴とする請求項１に記載のコンテンツ管理装置。
【請求項６】
ネットワーク経由で配信される様々なデジタルコンテンツおよびこれらコンテンツの視聴および外部出力ライセンスを記憶部に保持し、前記記憶部に保持される前記様々なデジタルコンテンツのコンテンツリストを表示し、前記記憶部に保持される前記様々なデジタルコンテンツについて前記視聴および外部出力ライセンスの期限的な有効性を確認し、前記外部出力ライセンスが有効でかつ前記視聴ライセンスが無効なコンテンツを前記記憶部の記憶容量不足に際して外部記録媒体へ出力すべき対象として前記コンテンツリストにおいて明示させることを特徴とするコンテンツ管理方法。
【発明の詳細な説明】
【技術分野】
【０００１】
本発明は、ネットワーク経由でダウンロード配信されるデジタルコンテンツを管理するコンテンツ管理装置およびコンテンツ管理方法に関する。
【背景技術】
【０００２】
近年、通信ネットワークの飛躍的な性能向上に伴い、通信ネットワークを利用した映像コンテンツの配信が盛んになってきており、ネットワーク機能をつけたテレビ受信装置向けに特問のポータルサイトにアクセスするだけでビデオ・オン・デマンド(ＶＯＤ)によるコンテンツの視聴等が可能になるサービスが開始され、これに対応する受信装置も既に登場している(例えば特許文献１を参照）。
【０００３】
確かに、通信ネットワークが整備され、ネットワークの性能は飛躍的に向上したが、全てのユーザがこの環境を利用できるとは限らず、通信速度の低いネットワーク環境でも同様のコンテンツ配信が可能になるように、一旦受信装置内の記憶装置に保存してから再生する方法も検討されている。この記憶装置としては、ハードディスクが利用可能である。
【０００４】
さらに、受信装置内にコンテンツを記録することで、ＤＶＤ等の外部記録媒体への出力やデジタル伝送用暗号化技術(ＤＴＣＰ−ＩＰ)等を利用した他機器へのコピーまたは移動を実現し易くなる。
【０００５】
このようなコンテンツを適切に保護しながら、視聴ライセンスや外部出力ライセンスのような目的別のライセンスが単一のコンテンツに対して発行されるデジタル著作権管理(ＤＲＭ）方式が既に公開されている。これら視聴ライセンスおよび外部出力ライセンスは別々に購入可能であり、これらの有効期限についても別々に設定可能である。例えば外部出力ライセンスの有効期限を無くしたり十分長く設定したりすれば、ユーザに課される外部出力タイミングの制約を回避してよりユーザフレンドリーな運用を実現できる。このデジタル著作権管理方式は、視聴ライセンスおよび外部出力ライセンスをコンテンツの視聴とコンテンツの外部出力という異なる利用目的に対して用意した結果としてユーザの選択肢を広げることができる点で好ましい。
【特許文献１】特開平９−１９１４５３号公報
【発明の開示】
【発明が解決しようとする課題】
【０００６】
ところで、単一コンテンツがこれら２つのライセンスを利用して管理される場合、視聴ライセンスが有効期限切れになっても、外部出力ライセンスが有効期限内であれば、この記憶装置から削除する必要がない。これにより記憶装置に残るコンテンツの数は徐々に増大し、記憶スペース（記憶容量）の不足を生じさせる原因となる。
【０００７】
本発明はこのような課題に鑑みてなされたものであり、ユーザが記憶容量の不足に際して外部出力すべきコンテンツを容易に特定できるコンテンツ管理装置およびコンテンツ管理方法を提供することを目的とする。
【課題を解決するための手段】
【０００８】
本発明の第１観点によれば、ネットワークに接続される通信部と、ネットワーク経由で配信される様々なデジタルコンテンツおよびこれらコンテンツの視聴および外部出力ライセンスを保持する記憶部と、記憶部に保持される様々なデジタルコンテンツのコンテンツリストを表示する表示部と、記憶部に保持される様々なデジタルコンテンツについて視聴および外部出力ライセンスの期限的な有効性を確認し、外部出力ライセンスが有効でかつ視聴ライセンスが無効なコンテンツを記憶部の記憶容量不足に際して外部記録媒体へ出力すべき対象としてコンテンツリストにおいて明示させる処理部とを備えるコンテンツ管理装置が提供される。
【０００９】
本発明の第２観点によれば、ネットワーク経由で配信される様々なデジタルコンテンツおよびこれらコンテンツの視聴および外部出力ライセンスを記憶部に保持し、記憶部に保持される様々なデジタルコンテンツのコンテンツリストを表示し、記憶部に保持される様々なデジタルコンテンツについて視聴および外部出力ライセンスの期限的な有効性を確認し、外部出力ライセンスが有効でかつ視聴ライセンスが無効なコンテンツを記憶部の記憶容量不足に際して外部記録媒体へ出力すべき対象としてコンテンツリストにおいて明示させコンテンツ管理方法が提供される。
【発明の効果】
【００１０】
これらコンテンツ管理装置およびコンテンツ管理方法では、記憶部に保持される様々なデジタルコンテンツについて視聴および外部出力ライセンスの期限的な有効性が確認され、外部出力ライセンスが有効でかつ視聴ライセンスが無効なコンテンツが記憶部の記憶容量不足に際して外部記録媒体へ出力すべき対象としてコンテンツリストにおいて明示される。従って、ユーザがこのコンテンツリストを見たときに、記憶容量の不足に際して外部出力すべきコンテンツを容易に特定できるようになる。
【発明を実施するための最良の形態】
【００１１】
以下、本発明の一実施形態に係るデジタル放送受信装置について添付図面を参照して説明する。
【００１２】
図１はこのデジタル放送受信装置がネットワーク経由でデジタルコンテンツを取得するためのコンテンツ配信システムを概略的に示す。このコンテンツ配信システムでは、デジタル放送受信装置１０がネットワークによりポータル１１、ＤＲＭサーバ１２、配信サーバ１３に接続される。デジタル放送受信装置１０は最初にポータル１１をアクセスして所望のデジタルコンテンツの購入手続きを行い、このポータル１１で発行されるコンテンツＩＤおよびライセンスＩＤを取得する。さらに、デジタル放送受信装置１０は配信サーバ１３をアクセスしてコンテンツＩＤを提示し、この結果として配信されるデジタルコンテンツをダウンロードする。ダウンロード済のデジタルコンテンツを利用する際にデジタル放送受信装置１０はＤＲＭサーバ１２をアクセスしてライセンスＩＤを提示し、この結果としてライセンス(視聴ライセンス，外部出力ライセンス)を取得する。ここでいう視聴ライセンスにはデジタルコンテンツを復号するためのコンテンツ鍵Kc、ライセンスの有効期限が少なくとも含まれた情報で構成されており、受信機でコンテンツを視聴するために利用するライセンスである。外部出力ライセンスは適切なコンテンツ保護方式を用いたメディアや外部接続機器に対して復号化したコンテンツを出力するためのライセンスであり、出力の要求ごとに発行されるライセンスである。つまり視聴ライセンスでコンテンツを視聴した結果、当該コンテンツをメディアに保存しておきたいと視聴者が思った際に追加で外部出力ライセンスを購入することにより、メディアへの保存が可能になる。このように視聴者にとってコンテンツを視聴のタイミングと外部への出力のタイミングは基本的に異なるため、視聴ライセンスの有効期限と外部出力ライセンスの有効期限を異なるものにすることが行われる。さらに外部出力ライセンスは基本的に１回出力することを許可するライセンスとして、有効期限を設定しない運用も行われる場合がある。
【００１３】
また、視聴ライセンスと外部出力ライセンスの形態としては、それぞれが別の情報として運用してもよいが、視聴ライセンスと外部出力ライセンスを一体化して運用する形態もありうる。
【００１４】
図７には、ＤＲＭサーバ１２により発行されるライセンスの構成例を示しており、(a)は視聴ライセンスと(b)外部出力ライセンスとを別々のライセンスとして構成する例であり、ライセンスを特定するライセンスID、鍵の識別情報、鍵、有効期限等の情報で視聴ライセンスは構成され、外部出力ライセンスは有効期限に変わり出力先ごとに規定されるCCI(Copy Control Information)情報が記載され、視聴ライセンスは有効期限内であれば何回でも視聴可能となるライセンスであり、外部出力ライセンスは１回ごとにライセンスを取得することになる。ここでは、外部出力ライセンスの有効期限をなくしてCCI情報としているが、有効期限の領域を設けてもよく視聴ライセンスの有効期限に従属するとしてもよい。
【００１５】
これらライセンスの取得は、ＤＲＭサーバ１２とデジタル放送受信装置１０の間でセキュアな通信路を確立した上で行われる。例えば、ＤＲＭサーバ１２とデジタル放送受信装置間で相互認証を行い、その上で鍵共有手段により共有した鍵で暗号化されて配信されることになる。
【００１６】
デジタル放送受信装置は、これらライセンスに含まれるコンテンツ鍵Kcでコンテンツの復号を行い、ユーザへの提示や、外部出力動作を行う。
【００１７】
図２はこのデジタル放送受信装置１０の構成を示す。デジタル放送受信装置１０は、制御部２１、メモリ２２、キー入力部２３、通信処理部２４、チューナ部２５、デスクランブラ２６、ＴＳデコード部２７、映像音声デコード部２８、表示処理部２９、ＨＤＤユニット３０、外部出力インタフェース３１、およびＤＲＭ処理部３２を備える。
【００１８】
制御部２１は、これらコンポーネンツ２２〜３２にバス接続され、デジタル放送受信装置１０全体の動作に必要な制御をこれらコンポーネンツ２２〜３２に対して行う。メモリ２２はこの制御部２１の制御プログラムや初期データ等を格納すると共に、制御部２１に入出力されるデータを一時的に格納する。キー入力部２３は制御部２１に対する各種コマンドのキー入力用のユーザインタフェースであり、外部リモコンＲＭのキー入力操作に対応する赤外線信号を受信可能である。通信処理部２４はEthernet(登録商標)等のネットワークに接続されこのネットワーク経由でポータル１１、ＤＲＭサーバ１２、配信サーバ１３とデータ通信を行う。チューナ部２５は、デジタル放送の放送波を受信したアンテナからの受信信号から所望のチャネルを選局し、この選局チャネルのトランスポートストリーム（ＴＳ）をデスクランブラ２６へ出力する。このトランスポートストリームはコンテンツ保護のためにスクランブル（暗号化）されている。デスクランブラ２６はチューナ部２５または通信処理部２４からのトランスポートストリームの暗号解除を行って、ＴＳデコード部２７へ出力する。ＴＳデコード部２７はこのトランスポートストリームから必要なパケットを分離するものであり、放送番組信号（映像，音声）の抽出やＳＩ(Service Information）情報、ＥＣＭ，ＥＭＭ等ストリームに多重されたデータを分離する機能を備えている。抽出結果の放送番組信号は映像音声デコード部２８へ出力される。映像音声デコード部２８はこの放送番組信号をデコードして表示処理部２９に出力する。
【００１９】
表示処理部２９は、このデコード結果の放送番組信号を映像および音声のモニタ出力として外部の表示装置ＤＰへ出力する。表示装置ＤＰはモニタ出力に対応する映像の表示および音声の再生を行う。また、表示処理部２９は各種エラー情報の表示画像信号を生成し、生成した画像信号を放送番組信号の代りにあるいは放送番組信号と合成して出力するユーザインタフェース機能を有する。また、表示処理部２９はＴＳデコード部２７で分離されたＳＩ情報から生成されたＥＰＧ画面信号を放送番組信号の代りにあるいは放送番組信号と合成して出力する機能も有する。
【００２０】
ＣＡＳ処理部３３は、チューナ部２５経由で入力されるデジタル放送の加入者管理と番組の視聴制御を行う処理部であり、ＴＳデコード部２７から入力されるＥＭＭを自身に固有の鍵で復号し契約内容を記憶し、ＥＣＭが入力された場合には、これを復号して契約内容と比較して視聴可能ならコンテンツの復号鍵を応答するものである。
【００２１】
このＣＡＳ処理部３３は現在のデジタル放送ではＡＲＩＢ ＳＴＤ−Ｂ２５に規定されるＩＣカード形状になっている。
【００２２】
ＨＤＤユニット３０は、例えばハードディスクのような大容量の記憶媒体であり、デジタル放送受信機に内蔵されるものでもＵＳＢ等で外部に接続されるものでもよく、ＴＳデコード２７から入力されるデジタルコンテンツを保持するのに十分な大容量をもった記憶部である。外部出力インタフェース３１は例えばＨＤＤユニット３０のハードディスクに保持されるデジタルコンテンツを外部出力するためのインタフェースであり、ＨＤ−ＤＶＤ等のドライブ、ＳＤカードスロットのように固定メディアに出力する機能や他の機器と接続してＤＴＣＰ−ＩＰ等の保護手段によって保護しながらネットワークを介してコンテンツを出力する機能を備えたインタフェースである。記録装置ＭＤは例えばＨＤ−ＤＶＤやＳＤカードのようなメディアの場合やＨＤ−ＤＶＤレコーダのような機器等が該当する。
【００２３】
ＤＲＭ処理部３２は通信処理部２４から入力されるコンテンツの視聴や外部出力のためのライセンスの取得やコンテンツ視聴時や外部出力時の視聴ライセンスおよび外部出力ライセンスの判定動作を行うものであり、ここでは保持しているコンテンツを管理する機能もここに含めている。つまり、有効期限に基づくコンテンツ利用時の視聴および外部出力制御および定期的なコンテンツ管理を行うものであり、例えばコンテンツ管理は電源投入時、毎日１回、あるいはユーザからのタイトルリスト表示コマンド入力時等に各コンテンツの最新情報を提示する機能もここで行われる。
【００２４】
このＤＲＭ処理部３２は、例えばＣＡＳ処理部３３と同様にセキュアなハードウェアによって実現される場合や受信機に実装するソフトウェアで実現される場合があるが、記憶するメモリやＣＰＵが受信機のＣＰＵやメモリか例えばＩＣカード内のＣＰＵやメモリであるかの違いであり、基本的な処理動作ほぼ同様になる。
【００２５】
ＤＲＭ処理部３２における視聴判定動作としては、ユーザーによって視聴選択されたコンテンツのライセンス状態を確認し、有効期限内のライセンスを保持している場合には、ライセンスから得られるコンテンツの復号鍵出力し、ライセンスがない場合にはＤＲＭサーバに対してライセンス取得要求を行い、得られたライセンスをメモリ２２やＨＤＤユニット３０に記憶し、その後再度視聴判定を行う。
【００２６】
また、コンテンツ管理処理としてはＨＤＤユニット３０の記憶領域の残量管理と保持される様々なデジタルコンテンツについて視聴および外部出力ライセンスの期限的な有効性を確認を行う状態確認処理がある。
【００２７】
図３はコンテンツリストを表示する際にＤＲＭ処理部３２によって行われるコンテンツごとにどのようなライセンス状態になっているかを確認する状態確認処理を示す。この状態確認処理が開始されると、ステップＳ１でデジタルコンテンツの視聴ライセンスおよび外部出力ライセンスの検査が行われる。続くステップＳ２で、検査結果が視聴ライセンス切れ(すなわち、視聴ライセンスが有効期限切れにより無効な状態)であるかチェックされる。視聴ライセンスが有効な場合には、ステップＳ３でこのデジタルコンテンツが記憶容量不足に際して削除すべき対象でないとみなされコンテンツリストにおいて例えば緑色で通常表示され、このコンテンツに対する状態確認処理が終了する。他方、ステップＳ２で視聴ライセンスが無効である場合には、ステップＳ４で検査結果が外部出力ライセンスあり(すなわち、外部出力ライセンスが有効期限内で有効な状態)であるかチェックされる。外部出力ライセンスが無効である場合には、ステップＳ５でこのデジタルコンテンツが記憶容量不足に際して削除すべき対象とみなされコンテンツリストにおいて例えば黄色の削除候補色で表示され、このコンテンツに対する状態確認処理が終了する。さらに、外部出力ライセンスが有効である場合には、ステップＳ６でこのデジタルコンテンツが記憶容量不足に際して外部出力すべき対象とみなされコンテンツリストにおいて例えば赤色の警告メッセージ色で表示され、このコンテンツに対する状態確認処理が終了する。デジタルコンテンツの削除や外部出力はこのコンテンツリストの表示中にキー入力部２３やリモコンＲＭでコンテンツを選択し、削除や外部出力のキー操作をすることで実行可能である。
【００２８】
すなわち、図４に示すように、視聴ライセンスが無効でかつ外部出力ライセンスが有効であるコンテンツが赤色で表示され、視聴ライセンスが無効でかつ外部出力ライセンスが無効であるコンテンツが黄色で表示され、視聴ライセンスが有効であるコンテンツが外部出力ライセンスに関係なく緑色で表示される。ここで、視聴ライセンスが無効でかつ外部出力ライセンスが無効であるコンテンツは削除されるべきであるが、ユーザがこのコンテンツに対する視聴ライセンスを再購入することもある。この場合に、コンテンツを削除されていると、再度ダウンロードする必要が生じる。このため、視聴ライセンスが無効でかつ外部出力ライセンスが無効であるコンテンツが外部出力によりＨＤＤユニット３０から最優先で削除することが好ましい。
【００２９】
本実施形態では、ＨＤＤユニット３０に保持される様々なデジタルコンテンツについて視聴および外部出力ライセンスの期限的な有効性が確認され、外部出力ライセンスが有効でかつ視聴ライセンスが無効なコンテンツがＨＤＤユニット３０の記憶容量不足に際して外部記録媒体へ出力すべき対象としてコンテンツリストにおいて明示される。従って、ユーザがこのコンテンツリストを見たときに、記憶容量の不足に際して外部出力すべきコンテンツを容易に特定できるようになる。
【００３０】
ここでは、視聴ライセンスと外部出力ライセンスが別々である例を示しているが、外部出力ライセンスの有効期限が視聴ライセンスの有効期限に従属する場合には、視聴ライセンスの有効期限前に外部出力を行う警告を出すことも可能である。
【００３１】
尚、本発明は上述の実施形態に限定されず、その要旨を逸脱しない範囲で様々に変形可能である。
【００３２】
上述の実施形態では、コンテンツリストにおいてコンテンツの表示位置は変更されないが、例えば図５に示すような削除候補リストとして外部出力すべきコンテンツ(赤色）、削除すべきコンテンツ(黄色）、残すべきコンテンツ（緑色）の順にコンテンツの表示位置を状態別の優先順位で整理すれば、ユーザが記憶容量の不足に際してＨＤＤユニット３０内のコンテンツの状態を把握し易くすることができる。
【００３３】
また、上述の実施形態では、コンテンツ管理が電源投入時、毎日１回、あるいはユーザからのタイトルリスト表示コマンド入力時に行われるが、例えばＨＤＤユニット３０の記憶容量の残りが所定値を越えて減少したときに実行されるようにしてもよい。この場合、図６に示す「ＨＤＤの容量が少なくなりました。ＡＡＡのコンテンツの出力をお勧めします。」のようなメッセージをコンテンツリストに加えて表示装置ＤＰに表示させてもよい。
【図面の簡単な説明】
【００３４】
【図１】本発明の一実施形態に係るデジタル放送受信装置がネットワーク経由でデジタルコンテンツを取得するためのコンテンツ配信システムを概略的に示す図である。
【図２】図１に示すデジタル放送受信装置の構成を示す図である。
【図３】図１に示すＤＲＭ処理部によって行われる状態確認処理を示す図である。
【図４】図１に示すＨＤＤユニットに保持されるコンテンツのコンテンツリストの表示例を示す図である。
【図５】図４に示すコンテンツリストのコンテンツ表示位置を変更した削除候補リストの表示例を示す図である。
【図６】図１に示すＨＤＤユニットの記憶容量の残りが所定値を越えて減少したときに表示されるメッセージの例を示す図である。
【図７】図１に示すＤＲＭサーバにより発行されるライセンスの構成例を示す図である。
【符号の説明】
【００３５】
１０…デジタル放送受信装置、１１…ポータル、１２…ＤＲＭサーバ、１３…配信サーバ、２４…通信処理部、２１…制御部、２３…キー入力部、３０…ＨＤＤユニット、３１…外部出力インタフェース、３２…ＤＲＭ処理部、ＲＭ…リモコン、ＤＰ…表示装置、ＭＤ…記録装置。
【図１】
2009159172.tif 000003
【図２】
2009159172.tif 000004
【図３】
2009159172.tif 000005
【図４】
2009159172.tif 000006
【図５】
2009159172.tif 000007
【図６】
2009159172.tif 000008
【図７】
2009159172.tif 000009